(57)【要約】【課題】デザイン性に優れ、汚れにくく、掃除を容易に行うことができる便座を提供する。【解決手段】便座は、側板部１４の下端部１５（座表部材１０の縁部）の下面１７と座裏部材２０の縁部２１の上面とが溶着され、座表部材１０と座裏部材２０とにより空洞部３０が形成されている。便座は、空洞部３０側の溶着部４０が残存するように座表部材１０の縁部の一部と座裏部材２０の縁部２１の一部とともに外縁側の溶着部４０が切削された切削面５０を有している。切削面５０は面一に形成されている。【選択図】図４
2010099274.tif 000002
【特許請求の範囲】
【請求項１】
座表部材の縁部の下面と座裏部材の縁部の上面とが溶着され、該座表部材と該座裏部材とにより空洞部が形成された便座において、
前記空洞部側の溶着部が残存するように前記座表部材の縁部の一部と前記座裏部材の縁部の一部とともに外縁側の該溶着部が切削された切削面を有し、
該切削面は面一に形成されていることを特徴とする便座。
【請求項２】
前記座表部材の縁部及び前記座裏部材の縁部は、溶着される際、少なくとも一方が該座表部材の側面よりも外側に延びて形成された突出部を有していることを特徴とする請求項１記載の便座。
【請求項３】
前記座裏部材は薄板状であることを特徴とする請求項１又は２記載の便座。
【請求項４】
前記切削面は、前記座裏部材の底面に対して最大斜度が略４５度である平坦な傾斜面に形成されていることを特徴とする請求項１乃至４のいずれか１項記載の便座。
【発明の詳細な説明】
【技術分野】
【０００１】
本発明は便座に関する。
【背景技術】
【０００２】
特許文献１には、従来の便座が開示されている。この便座は、座表部材の縁部の下面と座裏部材の縁部の上面とが溶着され、座表部材と座裏部材とにより空洞部が形成されている。座表部材は、溶着部より外側の側面に沿って下方に延びるリブを有している。リブの先端下面は座裏部材の外周上面に溶着されずに当接している。これにより、座表部材の縁部の下面及び座裏部材の縁部の上面が溶融して溶着部の端からはみ出した溶融樹脂（以下、「溶着ビード」という。）は、リブにより隠蔽される。このため、溶着ビードの除去作業を不要にすることができる。
【０００３】
【特許文献１】特開平１０−１６５３３１号公報
【発明の開示】
【発明が解決しようとする課題】
【０００４】
しかし、従来の便座では、リブの先端下面と座裏部材の外周上面との当接面の外縁が一条の線となり使用者等に視認されてしまうため、デザイン性に欠ける。また、リブの先端下面と座裏部材の外周上面との当接部に段差が生じたり、隙間が生じたりしてしまう虞がある。段差や隙間が生じると、見栄えが悪くなるとともに、汚れが溜まり易くなる。汚れが段差や隙間に溜まると容易に除去することが出来ないため、さらに見栄えが悪くなってしまう虞がある。
【０００５】
本発明は、上記従来の実情に鑑みてなされたものであって、デザイン性に優れ、汚れにくく、掃除を容易に行うことができる便座を提供することを解決すべき課題としている。
【課題を解決するための手段】
【０００６】
本発明の便座は、座表部材の縁部の下面と座裏部材の縁部の上面とが溶着され、該座表部材と該座裏部材とにより空洞部が形成された便座において、
前記空洞部側の溶着部が残存するように前記座表部材の縁部の一部と前記座裏部材の縁部の一部とともに外縁側の該溶着部が切削された切削面を有し、
該切削面は面一に形成されていることを特徴とする。
【０００７】
この便座では、空洞部側の溶着部が残存するように外縁側の溶着部が座表部材の縁部の一部と座裏部材の縁部の一部とともに切削され、各切削面が面一に形成されている。このため、座表部材と座裏部材との接合部が視認され難く、段差や隙間が形成されない。このため、汚れが溜まり難く、汚れが付着した場合も容易に拭き取ることができる。
【０００８】
したがって、本発明の便座は、デザイン性に優れ、汚れ難く、掃除を容易に行うことができる。
【０００９】
前記座表部材の縁部及び前記座裏部材の縁部は、溶着される際、少なくとも一方が該座表部材の側面よりも外側に延びて形成された突出部を有し得る。この場合、座表部材及び座裏部材の製造時に生じる寸法誤差や、座表部材及び座裏部材を溶着機への組み付ける際に生じる組み付け誤差を吸収し、座表部材の縁部の下面と座裏部材の縁部の上面とを確実に当接させることができ、強固に溶着することができる。また、座表部材の縁部及び座裏部材の縁部の両方に突出部が形成されると、溶着部からはみ出した溶着ビードが便座表面（側面）に付着することを防止することができる。
【００１０】
前記座裏部材は薄板状であり得る。この場合、座裏部材を容易に形成することができる。また、溶着機に容易に組み付けることができる。座裏部材は、座表部材の外形状よりも大きい外形状であると良い。このようにすると、溶着される際、座表部材の縁部を座裏部材の縁部に容易かつ確実に当接させることができ、強固に溶着することができる。
【００１１】
前記切削面は、前記座裏部材の底面に対して最大斜度が略４５度である平坦な傾斜面に形成され得る。この場合、切削面の上端部の稜線が座表部材の側面の上方に行き過ぎないため、座表部材のうねりや引けにより生じる稜線の波うちを抑制することができる。
【発明を実施するための最良の形態】
【００１２】
以下、本発明の便座を具体化した実施例１及び２を図面を参照しつつ説明する。
【実施例１】
【００１３】
実施例１の便座は、図１に示すように、平面視において、外形の後端部が略直線状であり、前後方向に長い略半楕円状に形成されている。この便座の中央部には、前後方向に長い楕円状の開口が形成されている。便座の後端部には、左右の２個所に後方に延びた一対のヒンジ部１１が形成されている。ヒンジ部１１は、貫通孔１２が形成されている。貫通孔１２には、便器本体の上面に取り付けられる図示しない便座装置のケース本体から延出する軸部材が挿通される。便座装置が便器本体の上面に取り付けられることにより、便器本体に対して便座が回動自在に取り付けられる。
【００１４】
この便座は、座表部材１０及び座裏部材２０を有している。座表部材１０は、図２に示すように、図１のＸ−Ｘ矢視断面において、上面が中央部の開口に向けて僅かに傾斜した上板部１３と、上板部１３の両端から連続して下方に延びる側板部１４とから形成されている。上板部１３の下面には、通電により発熱する図示しないニクロム線とアルミシートからなる発熱体が貼着されている。各側板部１４の下端部１５が座表部材１０の縁部を形成している。溶着される前の各側板部１４の下端部１５には、側板部１４の外表面（座表部材１０の側面）より外側に延びて形成された突出部１６を有している。
【００１５】
座裏部材２０は薄板状に形成されている。このため、座裏部材２０は容易に形成することができる。溶着される前の座裏部材２０の縁部２１は、各側板部１４の下端部１５（座表部材１０の縁部）の間隔よりも座裏部材２０の幅が広くなるように形成された突出部２２を有している。つまり、各側板部１４の下端部１５の下面と座裏部材２０の縁部２１の上面とを当接させた際に、座裏部材２０の縁部２１の方が外側に突出するように形成されている。このため、座表部材１０及び座裏部材２０の製造時に生じる寸法誤差や、座表部材１０及び座裏部材２０を溶着機へ組み付ける際に生じる組み付け誤差を吸収し、各側板部１４の下端部１５の下面と座裏部材２０の縁部２１の上面とを確実に当接させることができ、強固に溶着することができる。
【００１６】
座表部材１０及び座裏部材２０は、溶着機に組み付けられ、側板部１４の下端部１５の下面１７と座裏部材２０の縁部２１の上面２３とが当接される。この状態で、加圧されながら振動が加えられる。これにより、図３に示すように、側板部１４の下端部１５の下面１７と座裏部材２０の縁部２１の上面２３とが溶着され、座表部材１０と座裏部材２０とにより空洞部３０が形成される。この際、溶着部４０の端から外側にはみ出した溶着ビード４１は、座表部材１０の突出部１６よりも外側の座裏部材２０の突出部２２上に盛り上がる。このため、座表部材１０の側板部１４の外表面（便座表面）に溶着ビードが付着することを防止することができる。
【００１７】
側板部１４の下端部１５の下面１７と座裏部材２０の縁部２１の上面２３とを溶着した後、図４に示すように、空洞部３０側の溶着部４０が残存するように各側板部１４の下端部１５の一部と座裏部材２０の縁部２１の一部とともに外縁側の溶着部４０を切削する。切削面５０は、面一であり、座裏部材２０の底面に対して傾斜した平坦な傾斜面に形成される。切削面５０の座裏部材２０の底面に対する角度αは、切削部位により変化し、略３５度から略４５度の傾斜となるように切削される。切削面５０はバフ掛け等され仕上げられる。このようにして形成された便座は、座表部材１０と座裏部材２０との接合部が視認され難く、段差や隙間が形成されない。このため、汚れが溜まり難く、汚れが付着した場合も容易に拭き取ることができる。
【００１８】
したがって、実施例１の便座は、デザイン性に優れ、汚れ難く、掃除を容易に行うことができる。
【００１９】
また、切削面５０の上端部の稜線５１が側板部１４の外表面の上方に行き過ぎないため、側板部１４のうねりや引けにより生じる稜線５１の波うちを抑制することができる。
【実施例２】
【００２０】
実施例２の便座は、図５に示すように、座裏部材２０を上記実施例１とは異なる構成としたものである。その他の構成については、上記実施例１と同じであるため、同じ構成については、同一符号を付し、構造、作用及び効果の説明は省略する。
【００２１】
実施例２の座裏部材２０は、底板部２４と、底板部２４の両端から連続して上方に延びる立壁部２５とから形成されている。各立壁部２５の上端部２６が座裏部材２０の縁部を形成している。立壁部２５は、座表部材１０に溶着される際に、側板部１４に連続するように形成されている。溶着される前の座裏部材２０は、各立壁部２５の上端部２６に側板部１４の外表面（座表部材１０の側面）より外側に延びて形成された突出部２７を有している。
【００２２】
このように構成された座裏部材２０は、立壁部２５の上端部２６上面と座表部材１０の側板部１４の下端部１５の下面とが当接され、加圧されながら振動が加えられて溶着される。この際、座表部材１０の突出部１６及び座裏部材２０の突出部２７の外側面に溶着ビード４１がはみ出す。このため、座表部材１０の側板部１４の外表面及び座裏部材２０の立壁部２５の外表面（便座表面）に溶着ビードが付着することを防止することができる。
【００２３】
座裏部材２０の立壁部２５の上端部２６の上面と座表部材１０の側板部１４の下端部１５の下面とを溶着した後、座表部材１０の突出部１６及び座裏部材２０の突出部２７を切削する。切削面５０は、座表部材１０の側板部１４の外表面及び座裏部材２０の立壁部２５の外表面に連続し、面一に形成され、バフ掛け等されて仕上げられる。このように形成された便座は、座表部材１０と座裏部材２０との接合部が視認され難く、段差や隙間が形成されない。このため、汚れが溜まり難く、汚れが付着した場合も容易に拭き取ることができる。
【００２４】
したがって、実施例２の便座も、デザイン性に優れ、汚れ難く、掃除を容易に行うことができる。
【００２５】
＜他の実施例＞
本発明は上記記述及び図面によって説明した実施例１及び２に限定されるものではなく、例えば次のような実施例も本発明の技術範囲に含まれる。
（１）上記実施例１及び２では、座表部材の縁部及び座裏部材の縁部に突出部を有しているが、どちらか一方のみに突出部を有するようにしてもよい。
（２）上記実施例１及び２では、座表部材と座裏部材との溶着を振動溶着方式で行う説明をしたが、超音波溶着方式、熱板溶着方式等の種々の溶着方式を採用することができる。
【図面の簡単な説明】
【００２６】
【図１】実施例１の便座をあらわす平面図である。
【図２】実施例１の溶着前の便座に係り、図１のＸ−Ｘ矢視断面図である。
【図３】実施例１の溶着後の便座をあらわす図１のＸ−Ｘ矢視断面図である。
【図４】実施例１の切削後の便座をあらわす図１のＸ−Ｘ矢視断面図である。
【図５】実施例２の便座をあらわす断面図である。
【符号の説明】
【００２７】
１０…座表部材
１５…下端部（座表部材の縁部）
１６、２２、２７…突出部
１７…下面
２０…座裏部材
２１…（座裏部材の）縁部
２３…上面
３０…空洞部
４０…溶着部
５０…切削面
【図１】
2010099274.tif 000003
【図２】
2010099274.tif 000004
【図３】
2010099274.tif 000005
【図４】
2010099274.tif 000006
【図５】
2010099274.tif 000007